(57)【要約】【課題】ユーザの状態を素早く検出し、コンテンツの視聴を継続させる。【解決手段】デジタルホームに適用され、ユーザの状態に応じて、コンテンツの提供方法を切り替えるコンテンツ提供システムであって、コンテンツを画面に表示する少なくとも一つの表示装置１１と、表示装置１１にコンテンツデータを出力する情報コンテンツサーバ９と、フロアセンサ７より取得した情報に基づいて、ユーザが静止状態であるか動作状態であるかを推定するユーザ状態推定部と、推定の結果、ユーザが静止状態であるときは、情報コンテンツサーバ９から表示装置１１へコンテンツデータを出力させる一方、ユーザが動作状態であるときは、情報コンテンツサーバ９から表示装置１１へのコンテンツデータの出力を停止させる表示制御部５と、を備える。【選択図】図１
2015186024.tif 000002
【特許請求の範囲】
【請求項１】
デジタルホームに適用され、ユーザの状態に応じて、コンテンツの提供方法を切り替えるコンテンツ提供システムであって、
コンテンツを画面に表示する少なくとも一つのコンテンツ表示部と、
前記コンテンツ表示部にコンテンツデータを出力する情報コンテンツ部と、
外部センサより取得した情報に基づいて、ユーザが静止状態であるか動作状態であるかを推定する人物状態推定部と、
前記推定の結果、ユーザが静止状態であるときは、前記情報コンテンツ部から前記コンテンツ表示部へコンテンツデータを出力させる一方、ユーザが動作状態であるときは、前記情報コンテンツ部から前記コンテンツ表示部へのコンテンツデータの出力を停止させる表示制御部と、を備えることを特徴とするコンテンツ提供システム。
【請求項２】
前記人物状態推定部は、フロアセンサで収集された情報の変化率を算出することによって、ユーザが静止状態であるか、または動作状態であるかを推定することを特徴とする請求項１記載のコンテンツ提供システム。
【請求項３】
前記人物状態推定部は、フロアセンサで収集された情報に基づいて、ユーザを特定し、
前記表示制御部は、前記特定されたユーザが静止状態であるときと、動作状態であるときとに応じて前記情報コンテンツ部から前記コンテンツ表示部へのコンテンツデータの出力を制御することを特徴とする請求項１または請求項２記載のコンテンツ提供システム。
【請求項４】
前記人物状態推定部は、前記外部センサで収集された情報に基づいて、ユーザの位置をさらに推定し、
前記表示制御部は、前記推定されたユーザの位置において、ユーザが静止状態であるときと、動作状態であるときとに応じて前記情報コンテンツ部から前記コンテンツ表示部へのコンテンツデータの出力を制御することを特徴とする請求項１または請求項２記載のコンテンツ提供システム。
【請求項５】
前記情報コンテンツ部は、テレビ放送を受信することによってコンテンツデータを取得する機能と、取得したコンテンツデータを記録する機能とを備え、
前記コンテンツ表示部へ前記受信したテレビ放送のコンテンツデータを出力した後、前記表示制御部による制御によって、前記受信したテレビ放送のコンテンツデータの出力を停止した場合は、前記受信したテレビ放送のコンテンツデータを記録することを特徴とする請求項１から請求項４のいずれかに記載のコンテンツ提供システム。
【請求項６】
前記情報コンテンツ部は、前記コンテンツ表示部へ前記受信したテレビ放送のコンテンツデータの出力を再開する場合、前記記録を開始した箇所から前記受信したテレビ放送のコンテンツデータを出力することを特徴とする請求項５記載のコンテンツ提供システム。
【請求項７】
デジタルホームに適用され、ユーザの状態に応じて、コンテンツの提供方法を切り替えるプログラムであって、
コンテンツを、少なくとも一つのコンテンツ表示部の画面に表示する処理と、
情報コンテンツ部から、前記コンテンツ表示部にコンテンツデータを出力する処理と、
外部センサより取得した情報に基づいて、ユーザが静止状態であるか動作状態であるかを推定する処理と、
前記推定の結果、ユーザが静止状態であるときは、前記情報コンテンツ部から前記コンテンツ表示部へコンテンツデータを出力させる一方、ユーザが動作状態であるときは、前記情報コンテンツ部から前記コンテンツ表示部へのコンテンツデータの出力を停止させる処理と、の一連の処理をコンピュータに実行させることを特徴とするプログラム。
【発明の詳細な説明】
【技術分野】
【０００１】
本発明は、デジタルホームに適用され、ユーザの状態に応じて、コンテンツの提供方法を切り替える技術に関する。
【背景技術】
【０００２】
従来から、コンテンツを提供する装置において、ユーザの状態に応じてコンテンツの提供の仕方を変更する技術が提案されている。例えば、ユーザがテレビを視聴している最中に、リモコン操作が行なわれない状態（リモコン待機状態）が一定時間以上継続すると、ユーザがテレビ視聴をしていないと判断し、自動的に該当テレビ番組の録画を開始する技術が知られている。また、ユーザがコンテンツ提供機器から離れたことを検出して、それに応じて各操作を行なう技術が知られている。例えば、カメラを使うものとして、ＰＣに内蔵されているＷｅｂカメラで人を感知し、ディスプレイ表示を自動ＯＮ／ＯＦＦを行なう技術がある。また、近接センサを使うものとして、ユーザがテレビから離れた時やテレビの前で寝てしまった時など、画面の前の人の動きを感知して、自動的に節電するものがある。また、近接オートロックとして、近接センサを使用して画面のＯＮ／ＯＦＦを切り替えられるアプリケーションが提案されている。また、近距離無線通信を使うものとして、ＰＣから２ｍ以上離れると自動的にロックがかかるＰＣセキュリティ機器（ＵＳＢハブ型）が提案されている。これは、専用ソフトをインストールし、ＰＣのＵＳＢポートにドングルを差し込み、リモートを携帯しておくと、ユーザがＰＣから４〜９ｍ離れると自動的にロックがかかり、戻ると自動でアンロックされる構成を採っている。
【先行技術文献】
【特許文献】
【０００３】
【特許文献１】特開２０１２−０９５１４０号公報
【非特許文献】
【０００４】
【非特許文献１】http://dynabook.com/pc/setsuden/index_j.htm
【非特許文献２】http://www.sharp.co.jp/aquos/lineup/g7/52g7/eco.html
【非特許文献３】http://andronavi.com/2012/10/221481
【非特許文献４】http://www.thanko.jp/product/628.html
【非特許文献５】http://screenkeeper.com/japan/
【発明の概要】
【発明が解決しようとする課題】
【０００５】
特許文献１記載の技術は、ユーザのリモコン操作が一定時間なくなったことを検知し、その時間から番組終了まで該当番組を録画するものであるが、この技術では、テレビから離れたことを素早く検知することはできないため、リモコン操作をしてすぐにテレビから離れた場合には、リモコンが待機状態になるまでの間、番組の録画ができないという課題がある。
【０００６】
また、近接センサ、近距離無線通信を利用して人が機器から離れたことを検出する手法では、検出できるまでに一定時間が必要であるため、録画開始が遅れるという課題がある。同様に、カメラにおいては、ユーザがカメラ視野の範囲から逸脱するまで視聴中と判定されるため、録画開始が遅れるという課題がある。また、暗い場所で複数名が視聴している最中に、誰かが離席しても、誰が離席したか認識できないという課題がある。さらに、複数人物がテレビ視聴をした場合、リモコン操作が待機状態にならない限り、録画されないという課題がある。
【０００７】
本発明は、このような事情に鑑みてなされたものであり、ユーザの状態を素早く検出し、コンテンツの視聴を継続させることができるコンテンツ提供システムおよびプログラムを提供することを目的とする。
【課題を解決するための手段】
【０００８】
（１）上記の目的を達成するために、本発明は、以下のような手段を講じた。すなわち、本発明のコンテンツ提供システムは、デジタルホームに適用され、ユーザの状態に応じて、コンテンツの提供方法を切り替えるコンテンツ提供システムであって、コンテンツを画面に表示する少なくとも一つのコンテンツ表示部と、前記コンテンツ表示部にコンテンツデータを出力する情報コンテンツ部と、外部センサより取得した情報に基づいて、ユーザが静止状態であるか動作状態であるかを推定する人物状態推定部と、前記推定の結果、ユーザが静止状態であるときは、前記情報コンテンツ部から前記コンテンツ表示部へコンテンツデータを出力させる一方、ユーザが動作状態であるときは、前記情報コンテンツ部から前記コンテンツ表示部へのコンテンツデータの出力を停止させる表示制御部と、を備えることを特徴とする。
【０００９】
このように、外部センサより取得した情報に基づいて、ユーザが静止状態であるか動作状態であるかを推定し、推定の結果、ユーザが静止状態であるときは、情報コンテンツ部からコンテンツ表示部へコンテンツデータを出力させる一方、ユーザが動作状態であるときは、情報コンテンツ部からコンテンツ表示部へのコンテンツデータの出力を停止させるので、ユーザの状態に合わせて情報表示の操作を自動的に行なうことが可能となる。
【００１０】
（２）また、本発明のコンテンツ提供システムにおいて、前記人物状態推定部は、フロアセンサで収集された情報の変化率を算出することによって、ユーザが静止状態であるか、または動作状態であるかを推定することを特徴とする。
【００１１】
このように、フロアセンサで収集された情報の変化率を算出することによって、ユーザが静止状態であるか、または動作状態であるかを推定するので、正確かつリアルタイムにユーザの状態を推定することが可能となる。
【００１２】
（３）また、本発明のコンテンツ提供システムにおいて、前記人物状態推定部は、フロアセンサで収集された情報に基づいて、ユーザを特定し、前記表示制御部は、前記特定されたユーザが静止状態であるときと、動作状態であるときとに応じて前記情報コンテンツ部から前記コンテンツ表示部へのコンテンツデータの出力を制御することを特徴とする。
【００１３】
このように、フロアセンサで収集された情報に基づいて、ユーザを特定し、特定されたユーザが静止状態であるときと、動作状態であるときとに応じて情報コンテンツ部からコンテンツ表示部へのコンテンツデータの出力を制御するので、ユーザが複数いる場合であっても、対象とするユーザを特定し、特定したユーザの状態を正確かつリアルタイムに推定することが可能となる。
【００１４】
（４）また、本発明のコンテンツ提供システムにおいて、前記人物状態推定部は、前記外部センサで収集された情報に基づいて、ユーザの位置をさらに推定し、前記表示制御部は、前記推定されたユーザの位置において、ユーザが静止状態であるときと、動作状態であるときとに応じて前記情報コンテンツ部から前記コンテンツ表示部へのコンテンツデータの出力を制御することを特徴とする。
【００１５】
このように、外部センサで収集された情報に基づいて、ユーザの位置をさらに推定し、推定されたユーザの位置において、ユーザが静止状態であるときと、動作状態であるときとに応じて情報コンテンツ部からコンテンツ表示部へのコンテンツデータの出力を制御するので、ユーザの場所が変わったとしても、ユーザはコンテンツデータの視聴を継続することが可能となる。
【００１６】
（５）また、本発明のコンテンツ提供システムにおいて、前記情報コンテンツ部は、テレビ放送を受信することによってコンテンツデータを取得する機能と、取得したコンテンツデータを記録する機能とを備え、前記コンテンツ表示部へ前記受信したテレビ放送のコンテンツデータを出力した後、前記表示制御部による制御によって、前記受信したテレビ放送のコンテンツデータの出力を停止した場合は、前記受信したテレビ放送のコンテンツデータを記録することを特徴とする。
【００１７】
このように、コンテンツ表示部へ受信したテレビ放送のコンテンツデータを出力した後、表示制御部による制御によって、受信したテレビ放送のコンテンツデータの出力を停止した場合は、受信したテレビ放送のコンテンツデータを記録するので、ユーザが場所を変えた場合であっても、コンテンツを見逃してしまうことが無くなる。
【００１８】
（６）また、本発明のコンテンツ提供システムにおいて、前記情報コンテンツ部は、前記コンテンツ表示部へ前記受信したテレビ放送のコンテンツデータの出力を再開する場合、前記記録を開始した箇所から前記受信したテレビ放送のコンテンツデータを出力することを特徴とする。
【００１９】
このように、コンテンツ表示部へ受信したテレビ放送のコンテンツデータの出力を再開する場合、記録を開始した箇所から受信したテレビ放送のコンテンツデータを出力するので、ユーザがコンテンツを見逃してしまうことが無くなる。
【００２０】
（７）また、本発明のプログラムは、デジタルホームに適用され、ユーザの状態に応じて、コンテンツの提供方法を切り替えるプログラムであって、コンテンツを、少なくとも一つのコンテンツ表示部の画面に表示する処理と、情報コンテンツ部から、前記コンテンツ表示部にコンテンツデータを出力する処理と、外部センサより取得した情報に基づいて、ユーザが静止状態であるか動作状態であるかを推定する処理と、前記推定の結果、ユーザが静止状態であるときは、前記情報コンテンツ部から前記コンテンツ表示部へコンテンツデータを出力させる一方、ユーザが動作状態であるときは、前記情報コンテンツ部から前記コンテンツ表示部へのコンテンツデータの出力を停止させる処理と、の一連の処理をコンピュータに実行させることを特徴とする。
【００２１】
このように、外部センサより取得した情報に基づいて、ユーザが静止状態であるか動作状態であるかを推定し、推定の結果、ユーザが静止状態であるときは、情報コンテンツ部からコンテンツ表示部へコンテンツデータを出力させる一方、ユーザが動作状態であるときは、情報コンテンツ部からコンテンツ表示部へのコンテンツデータの出力を停止させるので、ユーザの状態に合わせて情報表示の操作を自動的に行なうことが可能となる。
【発明の効果】
【００２２】
本発明によれば、ユーザの状態に合わせて情報表示の操作を自動的に行なうことが可能となる。
【図面の簡単な説明】
【００２３】
【図１】本実施形態に係るコンテンツ提供システムの概略構成を示す図である。
【図２】本実施形態に係るコンテンツ提供システムの動作を示すフローチャートである。
【図３】フロアセンサの概要を示す図である。
【図４】変化率の算出方法を示す図である。
【図５】変化率と時系列データとの関係を示す図である。
【図６】ユーザの状態を判定した結果を示す図である。
【図７】各コンテンツを、どのユーザがどの時間帯まで視聴したかを表す図である。
【発明を実施するための形態】
【００２４】
本発明者らは、ユーザがコンテンツを視聴している最中に場所を変えた場合、移動先の場所でコンテンツの視聴を継続したり、戻ってきた場合に視聴が中断したところからコンテンツの再生を再開したりする目的を達成するために、フロアセンサ等から得られる位置情報やユーザ特定情報を活用することができることに着目し、フロアセンサ等によりユーザの静止状態を検出し、そのタイミングでコンテンツを提示し、ユーザが動き出すとコンテンツの提供を停止し、すぐに録画を開始し、再度ユーザがディスプレイに近づいて静止状態になるとコンテンツの提供を再開することによって、目的を達成することができることを見出し、本発明をするに至った。
【００２５】
すなわち、本発明のコンテンツ提供システムは、デジタルホームに適用され、ユーザの状態に応じて、コンテンツの提供方法を切り替えるコンテンツ提供システムであって、コンテンツを画面に表示する少なくとも一つのコンテンツ表示部と、前記コンテンツ表示部にコンテンツデータを出力する情報コンテンツ部と、外部センサより取得した情報に基づいて、ユーザが静止状態であるか動作状態であるかを推定する人物状態推定部と、前記推定の結果、ユーザが静止状態であるときは、前記情報コンテンツ部から前記コンテンツ表示部へコンテンツデータを出力させる一方、ユーザが動作状態であるときは、前記情報コンテンツ部から前記コンテンツ表示部へのコンテンツデータの出力を停止させる表示制御部と、を備えることを特徴とする。
【００２６】
これにより、本発明者らは、ユーザの状態に合わせて情報表示の操作を自動的に行なうことを可能とした。以下、本発明の実施形態について、図面を参照しながら具体的に説明する。
【００２７】
図１は、本実施形態に係るコンテンツ提供システムの概略構成を示す図である。コンテンツ提供システム１は、ユーザ状態推定部３と、表示制御部５と、フロアセンサ７と、情報コンテンツサーバ９と、表示装置１１と、を備えている。ユーザ状態推定部３は、フロアセンサ７からユーザの位置情報を収集し、そのユーザが静止状態か動作状態のどちらであるかを推定する。すなわち、本実施形態では、ユーザの動きの状態を、静止状態と動作状態の２つに分類する。静止状態とは、立位、座位、臥位のいずれかの姿勢を数秒以上継続している状態とし、動作状態とは、静止状態以外の状態を指す。例えば、歩行中、姿勢変化（立位から座位など姿勢が変化すること）などが動作状態にあたる。
【００２８】
ユーザ推定部３ａは、フロアセンサ７から取得した情報に基づいて、どのユーザであるかを推定する。このユーザの推定においては、フロアセンサ７、またはユーザが所持している端末を利用して、ユーザを特定する。フロアセンサ７の場合は、センサの足の大きさ、圧力値を利用してユーザを特定することができる。端末の場合は、普段持ち歩いている携帯電話やスマートフォンの“Bluetooth（登録商標）”情報などを利用して人物を特定する。
【００２９】
状態推定部３ｂは、ユーザの状態を推定する。この状態推定では、対象とする人物が静止状態、動作状態のどちらであるかを推定する。
【００３０】
場所検出部３ｃは、ユーザがいる場所を推定する。この場所検出では、対象とするユーザが現在いる場所を検出する。例えば、屋内中に敷き詰められたフロアセンサ７が反応している場所をその人物の場所として検出する。
【００３１】
表示制御部５は、ユーザの状態に応じてコンテンツの制御を行なう。ユーザが表示装置１１の前で静止状態にある場合にコンテンツを配信し、動作状態に入るとコンテンツ配信を中断し、コンテンツＮｏ、再生経過時間を人物と関連付けた情報を保持する。また、動作状態から静止状態に入った場合は、そのユーザの場所の表示装置に前回中断したコンテンツの配信を行なう。
【００３２】
表示制御部５は、ユーザ状態推定部３による推定結果が静止状態である場合、ユーザに近い表示装置に情報提示を要求する。コンテンツ情報保持部５ａは、ユーザに提供するコンテンツのタイトルやデータ量などを保持する。操作制御部５ｂは、推定されたユーザの状態に応じて、表示装置に対するコンテンツの提供を制御する。再生情報取得部５ｃは、ユーザが再生しているコンテンツの再生位置、録画開始位置、録画開始事項などを取得する。
【００３３】
情報コンテンツサーバ９は、情報提示のコンテンツを保持し、表示制御部５の要求により必要なコンテンツを表示装置に表示する。情報コンテンツサーバ９では、視聴するコンテンツを保持しており、保持するコンテンツは、テレビ映像、動画コンテンツ、音楽コンテンツなどが想定される。
【００３４】
表示装置１１は、屋内にある様々な表示装置から、ユーザが静止状態に入ったときに最も近い場所にある表示装置を選択し、その表示装置に情報コンテンツサーバにあるデータを、中断した時間から自動的に再生を行なう。表示装置１１は、情報を表示するディスプレイ（テレビ、スクリーン、ディスプレイ、壁面ディスプレイ、スマートフォン、タブレット端末など）が該当し、表示制御部５から要求されたコンテンツを表示する。すなわち、表示装置１１は、複数個所に配置された複数の装置を意味する。
【００３５】
図２は、本実施形態に係るコンテンツ提供システムの動作を示すフローチャートである。まず、フロアセンサ７からデータを収集する（ステップＳ１）。ここでは、ユーザの位置と状態が把握可能なデータを収集する。例えば、フロアセンサ７を利用することが可能である。ここでは、フロアセンサ７を使う場合を例にとって説明する。情報提示の対象となる範囲にフロアセンサを敷き、センサデータを収集する。
【００３６】
図３は、フロアセンサの概要を示す図である。ここでは、カメラで撮影した画像から抽出したシルエットも併せて示している。カメラ１および２からの画像をフロアセンサ７でセンシングすると、図３に示すようなセンサデータを得ることができる。次に、ユーザが静止状態であるかどうかを判断する（ステップＳ２）。ステップＳ２では、ステップＳ１で収集したデータに基づいて、ユーザが静止状態か動作状態かを推定する。ステップＳ１で収集した前のデータとの変化率に基づいて、変化率がある一定の値Ｘ以下の状態が継続する場合を静止状態と判定する一方、ある一定の値Ｙ以上の状態が継続する場合を動作状態と判定する。
【００３７】
ここで変化率とは、１つ前のデータと対象のデータとを比較し、変化したセンサの個数を変化のなかったセンサの個数で割った値とする。図４は、変化率の算出方法を示す図である。例えば、上記の「X=20、Y=40」として、変化率の時系列データは、図５に示すようになる。また、上記の「動作中」、「静止中」は、各時間帯の状態を示している。
【００３８】
ステップＳ２における判断の結果、ユーザが静止状態である場合は、情報コンテンツサーバ９が対象コンテンツを保持している再生時間から再生を開始する（ステップＳ３）。そして、ユーザに最も近い表示装置を選択し、コンテンツを表示する（ステップＳ４）。そして、ステップＳ１に遷移する。
【００３９】
一方、ステップＳ２において、ユーザが静止状態ではなく、動作状態である場合は、コンテンツの表示を停止する（ステップＳ５）。すなわち、ステップＳ２において、動作状態と推定されたとき、再生中のコンテンツを停止し、再生時間を保持する（ステップＳ６）。例えば、コンテンツが動画の場合は、該当コンテンツが再生された時間を保持する。また、テレビのリニア放送を閲覧している場合には、該当番組の録画を開始し、コンテンツサーバに追加する。
【００４０】
図６は、ユーザの状態を判定した結果を示す図である。図６に示す例では、４名のユーザの居場所と状態を表している。ユーザ１は、場所３で静止状態であり、ユーザ２は、場所２で動作状態であり、ユーザ３は、場所１で静止状態であり、ユーザ４は外出中であることを示している。場所０はフロアセンサの範囲外であることを示している。
【００４１】
図７は、各コンテンツを、どのユーザがどの時間帯まで視聴したかを表す図である。コンテンツ１は、ユーザ３が0:23’45 まで、コンテンツ２はユーザ２が1:03’02まで視聴して中断したことを示している。
【００４２】
なお、ステップＳ２において、動作状態と推定された場合、ステップＳ５およびステップＳ６で保持した時間から再生を開始する。テレビのリニア放送の場合は、追加された映像の始めからいわゆる“追っかけ再生”を行なう。
【００４３】
なお、以上の説明では、フロアセンサを用いてユーザの状態を判定したが、本発明は、これに限定されるわけではない。ユーザの状態を判定することができるセンサであれば、赤外線センサ、カメラなどを適用することも可能である。
【００４４】
以上説明したように、本実施形態によれば、リモコン操作やカメラ、近接センサ、近距離無線通信を利用するのではなく、フロアセンサによりユーザの状態を取得するので、ユーザの移動を素早く検出できる。その結果、録画できない時間を減らすことができる。また、ユーザの状態に合わせて情報表示の操作を自動的に行なうことが可能となる。従来の手法では、ユーザの動作がなくなったことを検知して録画を開始するため、ユーザがテレビ視聴を再開しようとしたとき、ユーザによるリモコン操作が必要である。これに対し、本実施形態によれば、ユーザの能動的な操作なく、状態に合わせて前回見ていた場面から自動的に再生が開始されるため、操作の必要がない。さらに、本実施形態によれば、ディスプレイの選択が可能となる。すなわち、フロアセンサを利用することによって、ユーザの場所が把握できるので、部屋や表示装置が変わってもコンテンツデータの閲覧を継続することが可能となる。
【符号の説明】
【００４５】
１  コンテンツ提供システム
３  ユーザ状態推定部
３ａ  ユーザ推定部
３ｂ  状態推定部
３ｃ  場所検出部
５  表示制御部
５ａ  コンテンツ情報保持部
５ｂ  操作制御部
５ｃ  再生情報取得部
７  フロアセンサ
９  情報コンテンツサーバ
１１  表示装置
【図１】
2015186024.tif 000003
【図２】
2015186024.tif 000004
【図３】
2015186024.tif 000005
【図４】
2015186024.tif 000006
【図６】
2015186024.tif 000007
【図７】
2015186024.tif 000008
【図５】
2015186024.tif 000009